(57)【要約】  データをダウンロードしながらメールを送信する方法であって、端末がデータ確認要求を受信すると、データ確認要求をサーバに送信するステップと、サーバがデータ確認要求に基づいて、データ確認要求に対応するデータを端末に送信するステップと、端末がデータを受信すると、端末の表示領域にデータを表示するステップと、サーバがデータ確認要求に基づいて、データ確認要求に対応するデータを、データ確認要求を送信したユーザアカウント情報のメールボックスに送信するステップと、サーバがデータをサーバ上のクラウド記憶アカウントに送信するステップと、を含む。ユーザがデータを確認した後に、サーバはデータをユーザのメールボックスとクラウドアカウントに送信するため、ユーザは閲覧済みの製品のデータ情報を閲覧しやすくなる。【選択図】図１
2019508828.tif 000002
【特許請求の範囲】
【請求項１】
データをダウンロードしながらメールを送信する方法であって、
端末が、データ確認要求を受信すると、前記データ確認要求をサーバに送信するステップであって、前記データ確認要求にユーザアカウント情報が含まれるステップと、
前記サーバが前記データ確認要求に基づいて、前記データ確認要求に対応するデータを端末に送信するステップと、
前記端末が、前記データを受信すると、前記端末の表示領域に前記データを表示するステップと、
前記サーバが前記データ確認要求に基づいて、前記データ確認要求に対応するデータを、前記データ確認要求を送信した前記ユーザアカウント情報のメールボックスに送信するステップ、を含むことを特徴とする方法。
【請求項２】
更に、
前記サーバは、前記ユーザアカウント情報に基づいて、対応するユーザデータ記憶アカウントを前記サーバに構築し、
前記サーバは、前記データ確認要求に基づいて、前記データ確認要求に対応するデータを前記ユーザデータ記憶アカウントに保存し、
ユーザは、前記サーバの前記ユーザデータ記憶アカウントにログインし、要求したデータを確認することを特徴とする請求項１に記載のデータをダウンロードしながらメールを送信する方法。
【請求項３】
更に、前記データのファイル名とこれに対応する製品の名称を統一し、且つ、ファイル名又は製品種別又は要求時間に基づいて前記データを分類することを特徴とする請求項１又は２に記載のデータをダウンロードしながらメールを送信する方法。
【請求項４】
更に、
前記データとは、文書ファイル又は音声ファイル又は動画ファイルであり、
前記データが文書ファイルの場合、ファイルフォーマットは、ＰＤＦ文書、ＷＯＲＤ文書、ＰＰＴ文書、ＥＸＣＥＬ文書、ホームページ文書のうちの少なくとも一つであることを特徴とする請求項１に記載のデータをダウンロードしながらメールを送信する方法。
【請求項５】
更に、
前記データが文書ファイルの場合に、前記端末の表示領域に文書ファイルをページごとに表示する際、前記データを自動的に前記端末の表示領域に適応させるとともに、前記端末の表示領域のサイズに応じて自動的にデータ内容を複数ページに分割して、ページごとに順に表示し、
ユーザは、スクリーン上でスワイプ操作することで表示ページを切り替えたり、拡大・縮小ボタンによって文書ファイルを拡大・縮小操作したりすることを特徴とする請求項４に記載のデータをダウンロードしながらメールを送信する方法。
【請求項６】
データをダウンロードしながらメールを送信する装置であって、
端末がデータ確認要求を受信した後に前記データ確認要求をサーバに送信するためのユニットであって、前記データ確認要求にユーザアカウント情報が含まれる要求ユニットと、
前記サーバが前記データ確認要求に基づいて、前記データ確認要求に対応するデータを前記端末に送信するための第１送信ユニットと、
前記端末が前記データを受信すると、前記端末の表示領域に前記データを表示するための第１表示ユニットと、
前記サーバが前記データ確認要求に基づいて、前記データ確認要求に対応するデータを、前記データ確認要求を送信した前記ユーザアカウント情報のメールボックスに送信するための第２送信ユニットと、を含むことを特徴とする装置。
【請求項７】
更に、
前記サーバが前記ユーザアカウント情報に基づいて、対応するユーザデータ記憶アカウントを前記サーバに構築するためのクラウドアカウントユニットと、
前記サーバが前記データ確認要求に基づいて、前記データ確認要求に対応するデータを前記ユーザデータ記憶アカウントに保存するためのクラウド記憶ユニットと、
ユーザが前記サーバの前記ユーザデータ記憶アカウントにログインし、要求したデータを確認するための確認ユニットと、を含むことを特徴とする請求項６に記載のデータをダウンロードしながらメールを送信する装置。
【請求項８】
更に、ファイル名又は製品種別又は要求時間に基づいて前記データを分類し、前記データのファイル名とこれに対応する製品の名称を統一する分類ユニットを含むことを特徴とする請求項６又は７に記載のデータをダウンロードしながらメールを送信する装置。
【請求項９】
更に、
前記データが文書ファイルの場合に、前記端末の表示領域に文書ファイルをページごとに表示する際、前記データを自動的に前記端末の表示領域に適応させるとともに、前記端末の表示領域のサイズに応じて自動的にデータ内容を複数ページに分割し、ページごとに順に表示するための第２表示ユニットと、
ユーザがスクリーン上でスワイプ操作することで表示ページを切り替えたり、拡大・縮小操作によって文書ファイルを拡大・縮小表示したりするための第３表示ユニットと、を含むことを特徴とする請求項８に記載のデータをダウンロードしながらメールを送信する装置。
【請求項１０】
更に、前記端末は、携帯電話、タブレットＰＣ、ノートパソコンのうちの１又は複数であることを特徴とする請求項６に記載のデータをダウンロードしながらメールを送信する装置。
【発明の詳細な説明】
【技術分野】
【０００１】
本発明はコンピュータ分野に関し、より具体的には、データをダウンロードしながらメールを送信する方法及び装置に関する。
【背景技術】
【０００２】
スマートフォン、タブレットＰＣ、ノートパソコンの普及や発展に伴い、モバイル端末はますます多くの機能を備えるようになっている。豊富なアプリケーションＡＰＰによって各種ニーズは満たされ、人々の生産・生活は便利になっている。また、このインターネット時代においては電子商取引が急速に発展しており、淘宝網（Ｔａｏｂａｏ）や京東商城（ＪＤ．ｃｏｍ）といったオンラインショッピングが次第に新たな買い物方式となっている。
【０００３】
モバイル端末を用いて商品を閲覧する場合、商品の詳細情報を知るためには製品紹介を見なければならない。しかし、製品によっては、製品紹介や製品説明書に、画像、音声、動画といった多くのデータ情報が含まれているため、ユーザは過剰な通信量を消費することになり、費用が嵩んでしまう。また、モバイル端末は記憶容量が小さいため、長期的に大量のデータ情報を保存することができない。且つ、ユーザが閲覧を終了しても閲覧記録を自動的に保存することができないため、後に製品情報を知りたい場合に不便である。
【発明の概要】
【発明が解決しようとする課題】
【０００４】
本発明が解決すべき技術的課題は、従来技術における上記の欠点に対し、データをダウンロードしながらメールを送信する方法及び装置を提供することである。
【課題を解決するための手段】
【０００５】
本発明では、技術的課題を解決するために以下の技術方案を用いる。即ち、データをダウンロードしながらメールを送信する方法であって、データをダウンロードしながらメールを送信する方法であって、端末が、データ確認要求を受信すると、前記データ確認要求をサーバに送信するステップであって、前記データ確認要求にユーザアカウント情報が含まれるステップと、前記サーバが前記データ確認要求に基づいて、前記データ確認要求に対応するデータを端末に送信するステップと、前記端末が、前記データを受信すると、前記端末の表示領域に前記データを表示するステップと、前記サーバが前記データ確認要求に基づいて、前記データ確認要求に対応するデータを、前記データ確認要求を送信した前記ユーザアカウント情報のメールボックスに送信するステップ、を含む方法を構成する。
【０００６】
本発明で記載するデータをダウンロードしながらメールを送信する方法は、更に、前記サーバは、前記ユーザアカウント情報に基づいて、対応するユーザデータ記憶アカウントを前記サーバに構築し、前記サーバは、前記データ確認要求に基づいて、前記データ確認要求に対応するデータを前記ユーザデータ記憶アカウントに保存し、ユーザは、前記サーバの前記ユーザデータ記憶アカウントにログインし、要求したデータを確認する。
【０００７】
本発明で記載するデータをダウンロードしながらメールを送信する方法は、更に、前記データのファイル名とこれに対応する製品の名称を統一し、且つ、ファイル名又は製品種別又は要求時間に基づいて前記データを分類する。
【０００８】
本発明で記載するデータをダウンロードしながらメールを送信する方法は、更に、前記データとは、文書ファイル又は音声ファイル又は動画ファイルであり、前記データが文書ファイルの場合、ファイルフォーマットは、ＰＤＦ文書、ＷＯＲＤ文書、ＰＰＴ文書、ＥＸＣＥＬ文書、ホームページ文書のうちの少なくとも一つである。
【０００９】
本発明で記載するデータをダウンロードしながらメールを送信する方法は、更に、前記データが文書ファイルの場合に、前記端末の表示領域に文書ファイルをページごとに表示する際、前記データを自動的に前記端末の表示領域に適応させるとともに、前記端末の表示領域のサイズに応じて自動的にデータ内容を複数ページに分割して、ページごとに順に表示し、ユーザは、スクリーン上でスワイプ操作することで表示ページを切り替えたり、拡大・縮小ボタンによって文書ファイルを拡大・縮小操作したりする。
【００１０】
更に、本発明は、データをダウンロードしながらメールを送信する装置であって、端末がデータ確認要求を受信した後に前記データ確認要求をサーバに送信するためのユニットであって、前記データ確認要求にユーザアカウント情報が含まれる要求ユニットと、前記サーバが前記データ確認要求に基づいて、前記データ確認要求に対応するデータを前記端末に送信するための第１送信ユニットと、前記端末が前記データを受信すると、前記端末の表示領域に前記データを表示するための第１表示ユニットと、前記サーバが前記データ確認要求に基づいて、前記データ確認要求に対応するデータを、前記データ確認要求を送信した前記ユーザアカウント情報のメールボックスに送信するための第２送信ユニットと、を含む装置を構成する。
【００１１】
本発明で記載するデータをダウンロードしながらメールを送信する装置は、更に、前記サーバが前記ユーザアカウント情報に基づいて、対応するユーザデータ記憶アカウントを前記サーバに構築するためのクラウドアカウントユニットと、前記サーバが前記データ確認要求に基づいて、前記データ確認要求に対応するデータを前記ユーザデータ記憶アカウントに保存するためのクラウド記憶ユニットと、ユーザが前記サーバの前記ユーザデータ記憶アカウントにログインし、要求したデータを確認するための確認ユニットと、を含む。
【００１２】
本発明で記載するデータをダウンロードしながらメールを送信する装置は、更に、ファイル名又は製品種別又は要求時間に基づいて前記データを分類し、前記データのファイル名とこれに対応する製品の名称を統一する分類ユニットを含む。
【００１３】
本発明で記載するデータをダウンロードしながらメールを送信する装置は、更に、前記データが文書ファイルの場合に、前記端末の表示領域に文書ファイルをページごとに表示する際、前記データを自動的に前記端末の表示領域に適応させるとともに、前記端末の表示領域のサイズに応じて自動的にデータ内容を複数ページに分割し、ページごとに順に表示するための第２表示ユニットと、ユーザがスクリーン上でスワイプ操作することで表示ページを切り替えたり、拡大・縮小操作によって文書ファイルを拡大・縮小表示したりするための第３表示ユニットと、を含む。
【００１４】
本発明で記載するデータをダウンロードしながらメールを送信する装置では、更に、前記端末は、携帯電話、タブレットＰＣ、ノートパソコンのうちの１又は複数である。
【発明の効果】
【００１５】
本発明におけるデータをダウンロードしながらメールを送信する方法及び装置を実施すれば、以下の有益な効果が得られる。即ち、本発明は、データをダウンロードしながらメールを送信する方法であって、端末がデータ確認要求を受信すると、データ確認要求をサーバに送信するステップと、サーバがデータ確認要求に基づいて、データ確認要求に対応するデータを端末に送信するステップと、端末がデータを受信して表示するステップと、サーバがデータ確認要求に基づいて、データ確認要求に対応するデータを、データ確認要求を送信したユーザアカウント情報のメールボックスに送信するステップと、サーバがデータをサーバ上のクラウド記憶アカウントに送信するステップと、を含む。本発明を実施すれば、ユーザがデータを確認した後にサーバがデータをユーザのメールボックスとクラウドアカウントに送信するため、ユーザは閲覧済みの製品のデータ情報を閲覧しやすくなる。
【００１６】
以下に、図面と実施例を組み合わせて本発明につき更に説明する。
【図面の簡単な説明】
【００１７】
【図１】図１は、本発明におけるデータをダウンロードしながらメールを送信する方法のフローチャートである。
【図２】図２は、本発明におけるデータをダウンロードしながらメールを送信する装置の構成を示す図である。
【発明を実施するための形態】
【００１８】
図１は、本発明におけるデータをダウンロードしながらメールを送信する方法の第１実施例を示す。
【００１９】
当該データをダウンロードしながらメールを送信する方法において、端末としては、スマートフォン、タブレットＰＣ、ノートパソコン等を含むがこれらに限らない。また、端末のオペレーティングシステムとしては、Ａｎｄｒｏｉｄ、ＩＯＳ、Ｗｉｎｄｏｗｓ  Ｐｈｏｎｅ、Ｗｉｎｄｏｗｓ等を含むがこれらに限らない。図１に示すように、当該データをダウンロードしながらメールを送信する方法は、以下のステップを含む。
【００２０】
Ｓ１０１：端末は、データ確認要求を受信すると、データ確認要求をサーバに送信する。データ確認要求にはユーザアカウント情報が含まれる。
【００２１】
Ｓ１０２：サーバは、データ確認要求に基づいて、データ確認要求に対応するデータを端末に送信する。
【００２２】
Ｓ１０３：端末はデータを受信すると、端末の表示領域にデータを表示する。
【００２３】
Ｓ１０４：サーバはデータ確認要求に基づいて、データ確認要求に対応するデータを、データ確認要求を送信したユーザアカウント情報のメールボックスに送信する。
【００２４】
本発明のデータをダウンロードしながらメールを送信する方法は、更に以下のステップを含む。
【００２５】
Ｓ１０５：サーバは、ユーザアカウント情報に基づいて、対応するユーザデータ記憶アカウントをサーバに構築する。
【００２６】
Ｓ１０６：サーバはデータ確認要求に基づいて、データ確認要求に対応するデータをユーザデータ記憶アカウントに保存する。
【００２７】
Ｓ１０７：ユーザは、サーバのユーザデータ記憶アカウントにログインし、要求したデータを確認する。
【００２８】
本発明のデータをダウンロードしながらメールを送信する方法は、更に以下のステップを含む。
【００２９】
Ｓ１０８：ユーザが後に確認しやすいよう、データのファイル名とこれに対応する製品の名称を統一し、ファイル名又は製品種別又は要求時間に基づいてデータを分類する。例えば、製品が電子部品の場合には、電子部品の製品種別に基づいてデータを分類し、同種の電子部品の場合には型番に基づき分類する。なお、ここでいう電子部品のデータとは、電子部品の製品説明書や製品紹介動画と解釈すればよい。
【００３０】
サーバがデータ確認要求に基づいてデータ確認要求に対応するデータを端末に送信するステップＳ１０２の前には、更に以下のステップが含まれる。
【００３１】
端末が使用しているネットワーク環境を検知し、端末のネットワークが無線ＬＡＮ又はＷＩＦＩ方式である場合には、サーバから送信されたデータを受信する。また、端末のネットワーク環境が２Ｇ又は３Ｇ又は４Ｇ等のモバイルネットワークの場合には、ユーザの通信量を抑えるために、サーバに対しユーザのネットワーク環境をフィードバックし、サーバは予め処理したデータを端末に送信する。なお、ここでいう予め処理したデータとは、データ内の重要な情報は保留しながら、他の情報を削除して形成した新たなデータのことである。例えば、文字と画像を有する文書の場合には、データ内の文字情報のみを保留すればよい。また、文字と音声又は動画を有するデータの場合には文字情報のみを保留し、音声又は動画のみを有する場合には、音声の音質や動画の鮮明度を低下させる。
【００３２】
端末がデータ確認要求を受信した後にデータ確認要求をサーバに送信するステップであって、データ確認要求にユーザアカウント情報が含まれるステップＳ１０１の後には、更に以下のステップが含まれる。
【００３３】
サーバは、端末から送信されたデータ確認要求を受信すると、全てのデータ確認要求を統計してアクセス統計データを形成し、分析する。商品・サービスプロバイダは、アクセス統計データからユーザが関心を寄せる製品の情報を取得することで、より良いサービスをユーザに提供するとともに、自身の製品ラインナップを合理化する。
【００３４】
本発明のデータをダウンロードしながらメールを送信する方法は、更に以下のステップを含む。
【００３５】
データとは、文書ファイル又は音声ファイル又は動画ファイルである。
【００３６】
データが文書ファイルの場合、ファイルフォーマットは、ＰＤＦ文書、ＷＯＲＤ文書、ＰＰＴ文書、ＥＸＣＥＬ文書、ホームページ文書のうちの少なくとも一つである。
【００３７】
本発明のデータをダウンロードしながらメールを送信する方法は、更に以下のステップを含む。
【００３８】
データが文書ファイルの場合、端末の表示領域に文書ファイルをページごとに表示する際には、データが自動的に端末の表示領域に適応する。また、端末の表示領域のサイズに応じてデータ内容が自動的に複数ページに分割され、ページごとに順に表示される。
【００３９】
ユーザは、スクリーン上でスワイプ操作することで表示ページを切り替えたり、拡大・縮小ボタンによって文書ファイルを拡大・縮小操作したりする。
【００４０】
図２は、本発明の第２実施例を示している。
【００４１】
本実施例は、データをダウンロードしながらメールを送信する装置を構成する。当該装置は、端末がデータ確認要求を受信した後にデータ確認要求をサーバに送信するためのユニットであって、データ確認要求にユーザアカウント情報が含まれる要求ユニット２０１と、サーバがデータ確認要求に基づいて、データ確認要求に対応するデータを端末に送信するための第１送信ユニット２０２と、端末がデータを受信すると、端末の表示領域にデータを表示するための第１表示ユニット２０３と、サーバがデータ確認要求に基づいて、データ確認要求に対応するデータを、データ確認要求を送信したユーザアカウント情報のメールボックスに送信するための第２送信ユニット２０４と、を含む。
【００４２】
本発明のデータをダウンロードしながらメールを送信する装置は、更に、サーバがユーザアカウント情報に基づいて、対応するユーザデータ記憶アカウントをサーバに構築するためのクラウドアカウントユニット２０５と、サーバがデータ確認要求に基づいて、データ確認要求に対応するデータをユーザデータ記憶アカウントに保存するためのクラウド記憶ユニットと、ユーザがサーバのユーザデータ記憶アカウントにログインし、要求したデータを確認するための確認ユニットと、を含む。
【００４３】
本発明のデータをダウンロードしながらメールを送信する装置は、更に、ファイル名又は製品種別又は要求時間に基づいてデータを分類し、データのファイル名とこれに対応する製品の名称を統一する分類ユニットを含む。
【００４４】
本発明のデータをダウンロードしながらメールを送信する装置は、更に、データが文書ファイルの場合、端末の表示領域に文書ファイルをページごとに表示する際に、データを自動的に端末の表示領域に適応させるとともに、端末の表示領域のサイズに応じて自動的にデータ内容を複数ページに分割し、ページごとに順に表示するための第２表示ユニットと、ユーザがスクリーン上でスワイプ操作することで表示ページを切り替えたり、拡大・縮小操作によって文書ファイルを拡大・縮小表示したりするための第３表示ユニットと、を含む。
【００４５】
本発明のデータをダウンロードしながらメールを送信する装置は、更に、端末が使用しているネットワーク環境を検知するための検知ユニットを含む。端末のネットワークが無線ＬＡＮ又はＷＩＦＩ方式である場合にはサーバから送信されたデータを受信する一方、端末のネットワーク環境が２Ｇ又は３Ｇ又は４Ｇ等のモバイルネットワークの場合には、ユーザの通信量を抑えるために、サーバに対しユーザのネットワーク環境をフィードバックするとともに、サーバが予め処理したデータを端末に送信する。なお、ここでいう予め処理したデータとは、データ内の重要な情報は保留しながら、他の情報を削除して形成した新たなデータのことである。例えば、文字と画像を有する文書の場合には、データ内の文字情報のみを保留すればよい。また、文字と音声又は動画を有するデータの場合には文字情報のみを保留し、音声又は動画のみを有する場合には、音声の音質や動画の鮮明度を低下させる。
【００４６】
本発明のデータをダウンロードしながらメールを送信する装置は、更に、サーバが端末から送信されたデータ確認要求を受信した後に、全てのデータ確認要求を統計してアクセス統計データを形成し、分析するための統計ユニットを含む。商品・サービスプロバイダは、アクセス統計データからユーザが関心を寄せる製品の情報を取得することで、より良いサービスをユーザに提供するとともに、自身の製品ラインナップを合理化する。
【００４７】
本発明のデータをダウンロードしながらメールを送信する装置では、更に、端末は、携帯電話、タブレットＰＣ、ノートパソコンのうちの１又は複数である。
【００４８】
第３実施例
【００４９】
本実施例において、当該データをダウンロードしながらメールを送信する方法は、電子部品の販売ＡＰＰに適用される。当該アプリケーションＡＰＰは、例えばスマートフォンやタブレットＰＣなどのモバイルクライアントに主に適用される。また、スマートフォンやタブレットＰＣに使用されるオペレーティングシステムは、Ａｎｄｒｏｉｄ、ＩＯＳ、Ｗｉｎｄｏｗｓ  Ｐｈｏｎｅとし、当該ＡＰＰはスマートフォン又はタブレットＰＣに実装される。ユーザは、電子部品を確認したい場合、当該アプリケーションＡＰＰを開いてユーザアカウントにログインすれば、検索又は製品分類から確認したい電子部品を見付けることができる。続いて、確認したい電子部品の説明書をクリックすれば、スマートフォン又はタブレットＰＣが説明書確認要求を受信して、説明書確認要求をサーバに送信する。サーバには全ての電子部品の説明書が記憶されており、且つ、これらの説明書が製品と一対一で対応している。なお、言うまでもなく、説明書は電子文書形式でもよいし、音声又は動画ファイルでもよい。サーバは、端末から送信された説明書確認要求を受信すると、対応する説明書を端末に送信する。端末は、当該説明書を受信して表示する。同時に、サーバは当該電子部品の説明書をユーザのメールボックス及びサーバにおけるユーザのクラウドアカウントに送信する。ユーザは、確認済みの電子部品のデータを確認したい場合、メールボックス又はログインサーバのクラウドアカウントを通じて確認可能なため、ユーザエクスペリエンスが向上する。
【００５０】
以上の実施例は本発明の技術思想と特性を説明するためのものにすぎず、当業者が本発明の内容を理解し、且つ当該内容に基づいて実施可能であることを目的としており、本発明による保護の範囲を制限するものではない。また、本発明の特許請求の範囲に基づき実施される等価の変形及び補足は、いずれも本発明の特許請求の範囲に含まれる。
【図１】
2019508828.tif 000003
【図２】
2019508828.tif 000004
【国際調査報告】
2019508828.tif 000005
2019508828.tif 000006
2019508828.tif 000007
2019508828.tif 000008